(57)【要約】【課題】燃料ポンプ用制御装置の部品点数と組付工数を低減すること。【解決手段】燃料ポンプ用制御装置１２は、燃料ポンプのモータへ供給する駆動電流を制御するＩＣ２１と、ＩＣ２１からの電気ノイズを除去する電子部品２２〜２４と、ＩＣ２１及び電子部品２２〜２４を収容するハウジング１４と、ハウジング１４に隣接して設けられるコネクタ１５と、コネクタ１５に設けられて外部配線に接続される外部端子２５ａとを備える。制御装置１２は、外部端子２５ａと、その端子２５ａから一体に延びる延長配線部２５ｂとを含む複数の配線２５を備える。ハウジング１４が複数の配線２５と一体成形され、延長配線部２５ｂの一部がハウジング１４から露出して設けられ、延長配線部２５ｂの露出部分に電子部品２２〜２４が支持され電気的に接続される。カバー１７に固定されたＩＣ２１は、バスバー２７を介して配線２５の内部端子２５ｃに接続される。【選択図】        図２
2010112183.tif 000002
【特許請求の範囲】
【請求項１】
燃料ポンプのモータへ供給する駆動電流を制御するための集積回路と、
前記集積回路からの電気ノイズを除去するための電子部品と、
前記集積回路及び前記電子部品を収容するためのハウジングと、
前記ハウジングに隣接して設けられるコネクタと、
前記コネクタに設けられて外部配線に接続される外部端子と
を備えた燃料ポンプ用制御装置において、
前記外部端子と、前記外部端子から一体に延びる延長配線部とを含み同一材料から形成される複数の配線と、
前記ハウジングが前記複数の配線と一体に成形されると共に、前記延長配線部の一部が前記ハウジングから露出して設けられ、前記延長配線部の露出部分に前記電子部品が支持され電気的に接続されることと
を備えたことを特徴とする燃料ポンプ用制御装置。
【請求項２】
前記複数の配線をそれぞれ長尺板材により形成し、複数の延長配線部を幅面が対向するように互いに同じ方向に配置したことを特徴とする請求項１に記載の燃料ポンプ用制御装置。
【請求項３】
隣り合う延長配線部の間に前記電子部品を配置すると共に、前記電子部品を間に挟んだ隣り合う延長配線部を前記電子部品の外形状に合わせて屈曲させたことを特徴とする請求項１又は２に記載の燃料ポンプ用制御装置。
【請求項４】
前記ハウジングに前記電子部品を挿入する凹部を設け、前記凹部に前記電子部品の少なくとも一部を嵌め入れたことを特徴とする請求項１乃至３の何れか一つに記載の燃料ポンプ用制御装置。
【請求項５】
前記延長配線部の前記電子部品と接続される部位に凹み形成し、その凹みに前記電子部品の接続端子を係合させて接続したことを特徴とする請求項１乃至４の何れか一つに記載の燃料ポンプ用制御装置。
【請求項６】
前記ハウジングは、前記延長配線部に支持し接続した前記電子部品を覆うカバーを備え、前記カバーの内壁に前記集積回路を設けたことを特徴とする請求項１乃至５の何れか一つに記載の燃料ポンプ用制御装置。
【発明の詳細な説明】
【技術分野】
【０００１】
この発明は、燃料ポンプの動きを制御するために使用される燃料ポンプ用制御装置に関する。
【背景技術】
【０００２】
従来、この種の技術して、下記の特許文献１に記載された燃料供給装置が知られている。この装置は、燃料タンク上部に形成された開口を塞ぐ閉塞部材（セットプレート）と、そのセットプレートに設けられた容器部と、その容器部内に収容され、燃料タンク内の燃料ポンプ用モータを駆動するコントローラとを備える。このコントローラは、スイッチング素子を含むＩＣチップと、ＩＣチップで発生したノイズを吸収して他への流出を抑制するフィルタ回路とを備える。フィルタ回路は、チョークコイルとコンデンサとから構成される。ＩＣチップとフィルタ回路は回路基板に実装される。容器部には、配線用の端子を含む電気コネクタが一体成形される。ＩＣチップとフィルタ回路は、この電気コネクタの端子に対し、回路基板とバスバーを介して電気的に接続される。
【０００３】
【特許文献１】特開２００７−３０３３６０号公報
【発明の開示】
【発明が解決しようとする課題】
【０００４】
ところが、特許文献１に記載の装置では、ＩＣチップ及びフィルタ回路と電気コネクタの端子とを電気的に接続するために、回路基板とバスバーが使用されていたことから、その分だけ部品点数が多く、結線等の組付工数が増えることとなった。また、セットプレート上の容器部のスペースは、車両搭載上の理由から極力小さくする必要があり、容器部には、ＩＣチップやフィルタ回路を極力コンパクトに収容することが望まれる。
【０００５】
この発明は上記事情に鑑みてなされたものであって、その目的は、部品点数と組付工数の低減を可能とした燃料ポンプ用制御装置を提供することにある。この発明の別の目的は、コンパクトな燃料ポンプ用制御装置を提供することにある。
【課題を解決するための手段】
【０００６】
上記目的を達成するために、請求項１に記載の発明は、燃料ポンプのモータへ供給する駆動電流を制御するための集積回路と、集積回路からの電気ノイズを除去するための電子部品と、集積回路及び電子部品を収容するためのハウジングと、ハウジングに隣接して設けられるコネクタと、コネクタに設けられて外部配線に接続される外部端子とを備えた燃料ポンプ用制御装置において、外部端子と、外部端子から一体に延びる延長配線部とを含み同一材料から形成される複数の配線と、ハウジングが複数の配線と一体に成形されると共に、延長配線部の一部がハウジングから露出して設けられ、延長配線部の露出部分に電子部品が支持され電気的に接続されることとを備えたことを趣旨とする。
【０００７】
上記発明の構成によれば、コネクタの外部端子と一体となってハウジングに設けられる延長配線部に電子部品が直接に支持され接続されるので、回路基板やバスバーが不要となる。
【０００８】
上記目的を達成するために、請求項２に記載の発明は、請求項１に記載の発明において、複数の配線をそれぞれ長尺板材により形成し、複数の延長配線部を幅面が対向するように互いに同じ方向に配置したことを趣旨とする。
【０００９】
上記発明の構成によれば、請求項１に記載の発明の作用に加え、ハウジングの限られたスペースでも、複数の延長配線部の間に比較的広いピッチが得られる。
【００１０】
上記目的を達成するために、請求項３に記載の発明は、請求項１又は２に記載の発明において、隣り合う延長配線部の間に電子部品を配置すると共に、電子部品を間に挟んだ隣り合う延長配線部を電子部品の外形状に合わせて屈曲させたことを趣旨とする。
【００１１】
上記発明の構成によれば、請求項１又は２に記載の発明の作用に加え、複数の延長配線部の間のスペースをあえて拡げることなく、電子部品が隣り合う延長配線部の間に挟まれて配置される。
【００１２】
上記目的を達成するために、請求項４に記載の発明は、請求項１乃至３の何れか一つに記載の発明において、ハウジングに電子部品を挿入する凹部を設け、凹部に電子部品の少なくとも一部を嵌め入れたことを趣旨とする。
【００１３】
上記発明の構成によれば、請求項１乃至３の何れか一つに記載の発明の作用に加え、電子部品が凹部に収容されるので、電子部品が位置決めされ、保護される。
【００１４】
上記目的を達成するために、請求項５に記載の発明は、請求項１乃至４の何れか一つに記載の発明において、延長配線部の電子部品と接続される部位に凹み形成し、その凹み電子部品の接続端子を係合させて接続したことを趣旨とする。
【００１５】
上記発明の構成によれば、請求項１乃至４の何れか一つに記載の発明の作用に加え、延長配線部の凹みに電子部品の接続端子が係合するので、延長配線部に対する接続端子の位置決めが容易となる。
【００１６】
上記目的を達成するために、請求項６に記載の発明は、請求項１乃至５の何れか一つに記載の発明において、ハウジングは、延長配線部に支持し接続した電子部品を覆うカバーを備え、カバーの内壁に集積回路を設けたことを趣旨とする。
【００１７】
上記発明の構成によれば、請求項１乃至５の何れか一つに記載の発明の作用に加え、ハウジングに電子部品を取り付ける作業と、カバーに集積回路を取り付ける作業が分けられる。
【発明の効果】
【００１８】
請求項１に記載の発明によれば、燃料ポンプ用制御装置として、部品点数と組付工数を低減することができ、低コスト化を図ることができる。
【００１９】
請求項２に記載の発明によれば、請求項１に記載の発明の効果に加え、延長配線部への電子部品の接続を容易化することができ、燃料ポンプ用制御装置のコンパクト化を図ることができる。
【００２０】
請求項３に記載の発明によれば、請求項１又は２に記載の発明の効果に加え、更に燃料ポンプ用制御装置のコンパクト化を図ることができる。
【００２１】
請求項４に記載の発明によれば、請求項１乃至３の何れか一つに記載の発明の効果に加え、更に延長配線部への電子部品の接続を容易化することができ、電子部品の耐久性を向上させることができる。
【００２２】
請求項５に記載の発明によれば、請求項１乃至４の何れか一つに記載の発明の効果に加え、延長配線部に対する電子部品の接続を容易かつ強固なものにすることができる。
【００２３】
請求項６に記載の発明によれば、請求項１乃至５の何れか一つに記載の発明の効果に加え、燃料ポンプ用制御装置の製造を効率化することができる。
【発明を実施するための最良の形態】
【００２４】
［第１実施形態］
以下、本発明の燃料ポンプ用制御装置を具体化した第１実施形態につき図面を参照して詳細に説明する。
【００２５】
図１に、自動車に搭載された樹脂製の燃料タンク１を断面図により示す。この燃料タンク１の中には、タンク本体２とは別体をなす高圧フィルタカバー３が設けられる。この高圧フィルタカバー３には、電動式の燃料ポンプ４、燃料通路５ａ，５ｂ、プレッシャレギュレータ６及び高圧燃料フィルタ７が設けられる。燃料ポンプ４の吸入口には燃料フィルタ８が設けられる。
【００２６】
燃料ポンプ４が作動することにより、タンク本体２に貯留された燃料は、燃料フィルタ８を介して燃料ポンプ４に吸入され、燃料通路５ａを経由して高圧燃料フィルタ７を通り、更に燃料通路５ｂを経由してプレッシャレギュレータ６により調圧されて出口９から吐出される。吐出された燃料は、燃料ライン（図示略）を通じてエンジンに供給される。
【００２７】
高圧フィルタカバー３の最上部には、燃料タンク１の上部の開口部１０を塞ぐ樹脂製蓋状のセットプレート１１が着脱可能に取り付けられる。このセットプレート１１には、燃料ポンプ４を制御するための制御装置１２が設けられる。この制御装置１２には、燃料ポンプ４が電気的に接続される。燃料ポンプ４は、駆動源としてのモータ１３と、同モータ１３により駆動され、燃料を昇圧させるポンプ部４ａとを備える。ポンプ部４ａには、モータ１３のロータにより回転するフィン等の回転部材（図示略）が設けられる。
【００２８】
図２に、制御装置１２を断面図により示す。この制御装置１２は、セットプレート１１と一部が一体成形されたハウジング１４と、ハウジング１４に隣接してセットプレート１１と一体成形されたコネクタ１５と、ハウジング１４に収容された集積回路（以下「ＩＣ」と言う。）２１及び複数の電子部品２２〜２４とを備える。ハウジング１４は、上方へ開口した箱形のハウジング本体１６と、その本体１６の開口を塞ぐカバー１７とを含む。ハウジング本体１６は、セットプレート１１と一体に樹脂より成形され、カバー１７は、金属より形成される。カバー１７は、ハウジング本体１６に溶着される。コネクタ１５は、ハウジング本体１６よりも小さい箱形をなし、上方へ開口する。コネクタ１５の中には、外部配線に接続される複数の外部端子２５ａの一部が露出して設けられる。この実施形態では、複数の外部端子２５ａのそれぞれは、コネクタ１５からハウジング本体１６へ延びる配線２５の一部を構成する。すなわち、外部端子２５ａと、その外部端子２５ａから一体に延びる延長配線部２５ｂとを含み同一材料から形成される複数の配線２５が、コネクタ１５からハウジング本体１６にかけて設けられる。この実施形態で、コネクタ１５とハウジング本体１６は複数の配線２５と一体に樹脂成形（インサート成形）されると共に、延長配線部２５ｂの上側部がハウジング本体１６の底部から露出して設けられる。配線２５は、更に、各延長配線部２５ｂの一端から上方へ起立した内部端子２５ｃを含む。
【００２９】
図３に、カバー１７を取り外したハウジング本体１６とコネクタ１５を平面図により示す。図４に、図３のハウジング本体１６から電子部品２２〜２４を取り外した状態を平面図により示す。図５に、図２の制御装置１２を分解して断面図により示す。コネクタ１５の中には、複数の外部端子２５ａの一部が上方へ突出して整列される。ハウジング本体１６の中には、複数の延長配線部２５ｂが露出して設けられる。各電子部品２２〜２４は、ＩＣ２１からの電気ノイズを除去するためのものである。これら電子部品２２〜２４は、具体的には、チョークコイルやコンデンサより構成される。各電子部品２２〜２４は、その下端部に一対の接続端子２２ａ，２３ａ，２４ａを備える。各延長配線部２５ｂの露出部分には、各電子部品２２〜２４が接続端子２２ａ〜２４ａを介して支持され電気的に接続される。図３に示すように、各電子部品２２〜２４は、隣り合う２本の延長配線部２５ｂに跨って配置され、それらの接続端子２２ａ〜２４ａが各延長配線部２５ｂ上に溶接３０により固定される。
【００３０】
ここで、複数の配線２５は、それぞれ所定幅を有する長尺板材より形成される。この実施形態では、各電子部品２２〜２４は、縦長な形状を有する。各配線２５は、延長配線部２５ｂの部分だけ、その両側の外部端子２５ａと内部端子２５ｃに対して９０°の捩りが付与されている。そして、図２〜４に示すように、複数の延長配線部２５ｂは、それらの幅面ＳＷが垂直に配置されて対向するように互いに同じ方向に（この場合、平行に）配置される。また、各電子部品２２〜２４は、その長手方向が垂直方向と一致するように配置される。すなわち、この実施形態では、各電子部品２２〜２４の長手方向と、各延長配線部２５ｂの幅面ＳＷが互いに同じ方向（垂直方向）に配置される。
【００３１】
図６に、一例として、電子部品２３と延長配線部２５ｂとの接続関係を分解して拡大断面図により示す。図４〜６に示すように、延長配線部２５ｂの各電子部品２２〜２４との接続部位には、Ｖ形の凹み２５ｄが形成される。各電子部品２２〜２４の接続端子２２ａ〜２４ａは、その凹み２５ｄに係合して溶接３０により接続される。
【００３２】
ＩＣ２１は、燃料ポンプ４のモータ１３へ供給する駆動電流を制御するためのものである。ＩＣ２１は、カバー１７の天井内壁に放熱パッド２６を介して取り付けられる。ＩＣ２１は、突出した放熱用の金属板２１ａを備える。放熱パッド２６は、液状又はシート状のシリコーン材より構成され、金属板２１ａの熱をカバー１７に伝える熱伝導機能を有する。放熱パッド２６がカバー１７に接して設けられることから、金属製のカバー１７は、ＩＣ２１の放熱体としても機能する。ＩＣ２１には、配線用のバスバー２７が接続される。このバスバー２７の先端部が、上記した配線２５の内部端子２５ｃに接続される。ＩＣ２１等を取り付けたカバー１７は、ハウジング本体１６に固定された状態で、各電子部品２２〜２４を覆うようになっている。従って、この制御装置１２を作製するには、先ず、ハウジング本体１６にて、各延長配線部２５ｂに各電子部品２２〜２４を支持し、溶接３０により接続する。次に、ＩＣ２１等を取り付けたカバー１７をハウジング本体１６に被せて溶着すればよい。
【００３３】
以上説明したこの実施形態の燃料ポンプ用制御装置１２によれば、ハウジング１４が複数の配線２５と一体に成形されると共にそれら配線２５の延長配線部２５ｂの一部がハウジング本体１６から露出して設けられる。また、各延長配線部２５ｂの露出部分に各電子部品２２〜２４が支持され、電気的に接続される。従って、コネクタ１５の外部端子２５ａと一体となってハウジング本体１６に設けられる各延長配線部２５ｂに各電子部品２２〜２４が直接に支持され接続されるので、従来例と異なり、回路基板やバスバーが不要となる。この結果、燃料ポンプ用制御装置１２として、部品点数と組付工数を低減することができ、低コスト化を図ることができる。
【００３４】
この実施形態によれば、複数の配線２５をそれぞれ長尺板材により形成し、ハウジング本体１６の中において複数の延長配線部２５ｂをそれらの幅面ＳＷが対向するように互いに平行に配置している。このため、図４に示すように、ハウジング１４の限られたスペースでも複数の延長配線部２５ｂの間に比較的広いピッチＰ１が得られる。ここで、仮に、各延長配線部２５ｂの幅面ＳＷを水平方向に向けて互いに平行に配置したとする。この場合、図４に示すピッチＰ１と同様のピッチを確保しようとすれば、ハウジング本体１６の幅を図４に示すよりも拡大する必要がある。このため、本実施形態によれば、隣り合う延長配線部２５ｂのピッチＰ１が広い分だけ、ハウジング本体１６の中の各延長配線部２５ｂへの電子部品２２〜２４の接続を容易化することができる。また、ハウジング本体１６の幅を拡げる必要がない分だけ、制御装置１のコンパクト化を図ることができる。
【００３５】
この実施形態によれば、各延長配線部２５ｂの電子部品２２〜２４と接続される部位に凹み２５ｄを形成し、その凹み２５ｄに接続端子２２ａ〜２４ａを係合させるので、各延長配線部２５ｂに対する接続端子２２ａ〜２４ａの位置決めが容易となる。この結果、各延長配線部２５ｂに対する電子部品２２〜２４の接続を容易かつ強固なものにすることができる。
【００３６】
この実施形態によれば、ハウジング１４は、延長配線部２５ｂに支持し接続した電子部品２２〜２４等を覆うカバー１７を備え、そのカバー１７の天井内壁にＩＣ２１等を取り付けたので、ハウジング本体１６に各電子部品２２〜２４を取り付ける作業と、カバー１７にＩＣ２１等の取り付ける作業が分けられる。このため、それぞれの作業を平行して行ったり、カバー１７に予めＩＣ２１等を取り付けておくことで、燃料ポンプ用制御装置１２の製造を効率化することができる。
【００３７】
［第２実施形態］
次に、本発明の燃料ポンプ用制御装置を具体化した第２実施形態につき図面を参照して詳細に説明する。なお、以下の説明において前記第１実施形態と同等の構成要素については同一の符号を付して説明を省略し、異なった点を中心に説明する。
【００３８】
この実施形態では、各電子部品２２〜２４の取り付け向きと、その取り付けに関連した構成の点で第１実施形態と異なる。図７に、この実施形態の制御装置３１を断面図により示す。この制御装置３１のハウジング本体１６の高さは、第１実施形態のそれの半分より低くなっている。また、ハウジング本体１６の底部には、各電子部品２２〜２４を挿入する複数の凹部３２が設けられる。この実施形態では、各電子部品２２〜２４が、第１実施形態のそれとは上下が逆向きに配置される。また、各電子部品２２〜２４は、その大部分が各凹部３２に嵌め入れられる。
【００３９】
図８に、カバー１７を取り外したハウジング本体１６とコネクタ１５を平面図により示す。図９に、図８のハウジング本体１６から電子部品２２〜２４を取り外した状態を平面図により示す。図１０に、図７を分解して断面図により示す。図８，９に示すように、この実施形態では、隣り合う延長配線部２５ｂの間に各電子部品２２〜２４が配置される。また、各電子部品２２〜２４を間に挟んだ隣り合う延長配線部２５ｂは、各電子部品２２〜２４の外形状に合わせて円弧状に屈曲させた屈曲部２５ｅを含む。上記したハウジング本体１６の凹部３２は、この屈曲部２５ｅに整合して配置される。そして、各電子部品２２〜２４が、隣り合う延長配線部２５ｂの屈曲部２５ｅと凹部３２に嵌め入れられた状態で、各延長配線部２５ｂには、各電子部品２２〜２４が各接続端子２２ａ〜２４ａを介して支持され電気的に接続される。この実施形態でも、各電子部品２２〜２４の接続端子２２ａ〜２４ａは、延長配線部２５ｂに形成されたＶ形の凹み２５ｄに係合して溶接３０により接続される。
【００４０】
以上説明したこの実施形態の燃料ポンプ用制御装置３１によれば、隣り合う延長配線部２５ｂの間に各電子部品２２〜２４を配置している。しかも、各電子部品２２〜２４を間に挟んだ隣り合う延長配線部２５ｂに各電子部品２２〜２４の外形状に合わせた屈曲部２５ｅが設けられる。従って、複数の延長配線部２５ｂの間のスペースをあえて拡げることなく各電子部品２２〜２４が隣り合う延長配線部２５ｂの間に挟まれて配置される。この意味で、燃料ポンプ用制御装置３１のコンパクト化を図ることができる。
【００４１】
この実施形態では、ハウジング本体１６に各電子部品２２〜２４を挿入する凹部３２を設け、それら凹部３２に各電子部品２２〜２４の大部分を嵌め入れている。従って、各電子部品２２〜２４が凹部３２に収容されるので、各電子部品２２〜２４が位置決めされ、保護される。このため、各電子部品２２〜２４が位置決めされることで、各接続端子２２ａ〜２４ａの延長配線部２５ｂに対する溶接作業を容易なものにすることができる。また、各電子部品２２〜２４を保護できることで、各電子部品２２〜２４の耐久性を向上させることができる。また、この実施形態では、ハウジング本体１６の嵩を低くできるので、第１実施形態と比べて、燃料ポンプ用制御装置３１の見かけの体格をコンパクトなものにすることができる。具体的には、セットプレート１１の上面からのハウジング１４の突き出しを少なくすることができ、ハウジング１４の見かけの嵩を低くすることができる。
【００４２】
この実施形態のその他の作用効果については、第１実施形態のそれと基本的に同じである。
【００４３】
なお、この発明は前記各実施形態に限定されるものではなく、発明の趣旨を逸脱することのない範囲で構成の一部を適宜に変更して実施することもができる。例えば、複数の配線２５の形状や配置を変更したり、ハウジング１４の形状を変更したりしてもよい。
【図面の簡単な説明】
【００４４】
【図１】第１実施形態に係り、燃料タンクを示す断面図。
【図２】第１実施形態に係り、燃料ポンプ用制御装置を示す断面図。
【図３】第１実施形態に係り、ハウジング本体とコネクタを示す平面図。
【図４】第１実施形態に係り、図３のハウジング本体から電子部品を取り外した状態を示す平面図。
【図５】第１実施形態に係り、図２の制御装置を分解して示す断面図。
【図６】第１実施形態に係り、電子部品と延長配線部との接続関係を分解して示す拡大断面図。
【図７】第２実施形態に係り、燃料ポンプ用制御装置を示す断面図。
【図８】第２実施形態に係り、ハウジング本体とコネクタを示す平面図。
【図９】第２実施形態に係り、図８のハウジング本体から電子部品を取り外した状態を示す平面図。
【図１０】第２実施形態に係り、図７の制御装置を分解して示す断面図。
【符号の説明】
【００４５】
４  燃料ポンプ
１２  制御装置
１３  モータ
１４  ハウジング
１５  コネクタ
１６  ハウジング本体
１７  カバー
２１  ＩＣ（集積回路）
２２  電子部品
２２ａ  接続端子
２３  電子部品
２３ａ  接続端子
２４  電子部品
２４ａ  接続端子
２５  配線
２５ａ  外部端子
２５ｂ  延長配線部
２５ｃ  接続端子
２５ｄ  凹み
２５ｅ  屈曲部
３１  制御装置
３２  凹部
ＳＷ  幅面
【図１】
2010112183.tif 000003
【図２】
2010112183.tif 000004
【図３】
2010112183.tif 000005
【図４】
2010112183.tif 000006
【図５】
2010112183.tif 000007
【図６】
2010112183.tif 000008
【図７】
2010112183.tif 000009
【図８】
2010112183.tif 000010
【図９】
2010112183.tif 000011
【図１０】
2010112183.tif 000012